(57)【要約】      （修正有）【課題】非常に実用性のある太陽電池構造体を提供する。【解決手段】架台１の上部に板状の太陽電池モジュール体２を傾斜状態に設けて成る太陽電池構造体であって、太陽電池モジュール体２の傾斜方向と直交する方向には雪を落下させるための落雪開口部３が設けられ、この落雪開口部３は、太陽電池モジュール体２の傾斜方向下方位置に設けられたものである。【選択図】図２
0003195929.tif 000002
【実用新案登録請求の範囲】
【請求項１】
架台の上部に板状の太陽電池モジュール体を傾斜状態に設けて成る太陽電池構造体であって、前記太陽電池モジュール体の傾斜方向と直交する方向には雪を落下させるための落雪開口部が設けられ、この落雪開口部は、前記太陽電池モジュール体の傾斜方向下方位置に設けられていることを特徴とする太陽電池構造体。
【請求項２】
請求項１記載の太陽電池構造体において、前記太陽電池モジュール体は、前記落雪開口部を境界として上方領域と下方領域を有し、前記上方領域の面積は、前記下方領域の面積より大きく設定されていることを特徴とする太陽電池構造体。
【請求項３】
請求項２記載の太陽電池構造体において、前記太陽電池モジュール体は方形板状であり、前記上方領域と前記下方領域との面積比は３：１に設定されていることを特徴とする太陽電池構造体。
【請求項４】
請求項１〜３いずれか１項に記載の太陽電池構造体において、前記落雪開口部の傾斜方向の長さは約３０ｃｍ〜約４０ｃｍに設定されていることを特徴とする太陽電池構造体。
【請求項５】
請求項１〜４いずれか１項に記載の太陽電池構造体において、前記太陽電池モジュール体の裏面部位は前記落雪開口部から落下した雪を溜める雪溜め部に設定されていることを特徴とする太陽電池構造体。
【請求項６】
請求項１〜５いずれか１項に記載の太陽電池構造体において、前記太陽電池モジュール体は、複数の太陽電池モジュールを並設してなるものであることを特徴とする太陽電池構造体。
【考案の詳細な説明】
【技術分野】
【０００１】
本考案は、太陽電池構造体に関するものである。
【背景技術】
【０００２】
従来から、太陽電池構造体として、例えば図１に図示したように架台51の上部に太陽電池モジュール体52を傾斜状態に設けて成る太陽電池構造体（以下、従来例）が提案されており、この従来例は、太陽電池モジュール体52で受光した太陽光を電気に変換するものであり、発電に必要な太陽光を受光し易い環境に設置される。
【考案の概要】
【考案が解決しようとする課題】
【０００３】
ところで、この従来例は、特に降雪地域において雪Ｓが降ると、太陽電池モジュール体52の上面には雪Ｓが積もるが、太陽電池モジュール体52は傾斜状態のため、上面に積もった雪Ｓはある程度の量（重量）になると滑落し、この滑落した雪Ｓが太陽電池モジュール体52の下方先端部52ａから地面に落ちることで、太陽電池モジュール体52の上面は露出して発電可能な状態が維持される。
【０００４】
しかしながら、図１に図示したように太陽電池モジュール体52の下方先端部52ａから地面に落ちた雪Ｓの高さが該下方先端部52ａの高さ位置まで達した場合、この地面に積もった雪Ｓと太陽電池モジュール体52上の雪Ｓとが繋がって太陽電池モジュール体52上の雪Ｓは落下不能となり、よって、太陽電池モジュール体52の上面は雪Ｓで覆われたままの状態となって発電量が低下してしまい、しかも、雪Ｓの重量が太陽電池モジュール体52（特に下方先端部52ａ）にかかることで該太陽電池モジュール体52を破損してしまう場合がある。
【０００５】
この問題に対応すべく、太陽電池モジュール体52を小面積にすると当然所望の発電量が得られないため、太陽電池モジュール体52の面積は維持しなければならない。そこで、架台51の高さを高くすることも考えられるが、それだけ大掛かりな構造となるため施工性が悪く且つコスト高となってしまい、また、構造物自体の高さを高くすると強い風を受けることになるため、それに耐え得る構造にしなければならないなど、その他の問題点が生じてしまう。
【０００６】
本考案は、前述した問題点を解消するものであり、非常に実用性のある太陽電池構造体を提供する。
【課題を解決するための手段】
【０００７】
添付図面を参照して本考案の要旨を説明する。
架台１の上部に板状の太陽電池モジュール体２を傾斜状態に設けて成る太陽電池構造体であって、前記太陽電池モジュール体２の傾斜方向と直交する方向には雪Ｓを落下させるための落雪開口部３が設けられ、この落雪開口部３は、前記太陽電池モジュール体２の傾斜方向下方位置に設けられていることを特徴とする太陽電池構造体に係るものである。
【０００８】
また、請求項１記載の太陽電池構造体において、前記太陽電池モジュール体２は、前記落雪開口部３を境界として上方領域２'と下方領域２”を有し、前記上方領域２'の面積は、前記下方領域２”の面積より大きく設定されていることを特徴とする太陽電池構造体に係るものである。
【０００９】
また、請求項２記載の太陽電池構造体において、前記太陽電池モジュール体２は方形板状であり、前記上方領域２'と前記下方領域２”との面積比は３：１に設定されていることを特徴とする太陽電池構造体に係るものである。
【００１０】
また、請求項１〜３いずれか１項に記載の太陽電池構造体において、前記落雪開口部３の傾斜方向の長さは約３０ｃｍ〜約４０ｃｍに設定されていることを特徴とする太陽電池構造体に係るものである。
【００１１】
また、請求項１〜４いずれか１項に記載の太陽電池構造体において、前記太陽電池モジュール体２の裏面部位は前記落雪開口部３から落下した雪Ｓを溜める雪溜め部４に設定されていることを特徴とする太陽電池構造体に係るものである。
【００１２】
また、請求項１〜５いずれか１項に記載の太陽電池構造体において、前記太陽電池モジュール体２は、複数の太陽電池モジュール２ａを並設してなるものであることを特徴とする太陽電池構造体に係るものである。
【考案の効果】
【００１３】
本考案は上述のように構成したから、太陽電池モジュール体上に積もる雪が落下する際の前述の問題を解決でき、しかも、発電量の低下を可及的に抑制できるなど、非常に実用性のある太陽電池構造体となる。
【図面の簡単な説明】
【００１４】
【図１】従来例の説明図である。
【図２】本実施例の使用状態説明図である。
【図３】本実施例の要部の説明図である。
【考案を実施するための形態】
【００１５】
好適と考える本考案の実施形態を、図面に基づいて本考案の作用を示して簡単に説明する。
【００１６】
太陽電池モジュール体２の上面に積もった雪Ｓは該太陽電池モジュール体２を滑落する。
【００１７】
具体的には、太陽電池モジュール体２上にして落雪開口部３よりも上方位置（上方領域２'）の雪Ｓは落雪開口部３から落下し、太陽電池モジュール体２上にして落雪開口部３よりも下方位置（下方領域２”）の雪Ｓは該太陽電池モジュール体２の下方領域２”の下方先端部から落下する。
【００１８】
太陽電池モジュール体２の下方領域２”の下方先端部から落下する雪Ｓは、落雪開口部３よりも下方位置の雪Ｓであり少量であるから、この落下して積もった雪Ｓが直ちに太陽電池モジュール体２に届くことは無く、一方、落雪開口部３から落下する雪Ｓの量は太陽電池モジュール体２の下方領域２”の下方先端部から落下する雪Ｓの量に比して多いが、落雪開口部３は十分な高さを有するから、即ち、太陽電池モジュール体２の上方領域２'の下方先端部は十分な高さ位置にあるから、落雪開口部３から落下して積もった雪Ｓが太陽電池モジュール体２に直ちに届くことはない。
【実施例】
【００１９】
本考案の具体的な実施例について図面に基づいて説明する。
【００２０】
本実施例は、架台１の上部に方形板状の太陽電池モジュール体２を傾斜状態に設けて成る太陽電池構造体である。尚、本実施例に係る太陽電池構造体は、図示省略のパワーコンディショナーや蓄電池などの周辺設備が組み合わされて太陽光発電システムとして構成される。
【００２１】
以下、本実施例に係る構成各部について詳細な説明をする。
【００２２】
架台１は、図２，３に図示したように適宜な金属製棒材を適宜連結して成るフレーム構造体であり、地面20に設けられる土台21上に立設される立ち上がり部１Ａと、この立ち上がり部１Ａの上部に傾設され上部に後述する太陽電池モジュール体２（太陽電池モジュール２ａ）を傾斜状態に載置するモジュール載置部１Ｂとで構成されている。尚、本実施例では太陽電池モジュール体２の水平に対する傾斜角度は約３０度に設定されている。
【００２３】
太陽電池モジュール体２は、図２に図示したように複数の太陽電池モジュール２ａ同士を電気的に接続して並設してなるもの（通称太陽電池アレイ）である。尚、本書面で言う太陽電池モジュール体２は、一つの太陽電池モジュール２ａで構成される場合も含む。
【００２４】
また、太陽電池モジュール体２は、該太陽電池モジュール体２の傾斜方向と直交する方向（太陽電池モジュール体２の巾方向）に長さを有して雪Ｓを落下させるための落雪開口部３が横断する状態で設けられている。
【００２５】
この落雪開口部３は、太陽電池モジュール体２の傾斜方向下方位置（傾斜方向中央位置よりも下方位置）にのみ一つ設けられ、この落雪開口部３より上方の上方領域２'の面積は、この落雪開口部３より下方の下方領域２”の面積より大きく設定され、この落雪開口部３の傾斜方向の長さは約３０ｃｍ〜約４０ｃｍ（本実施例では３０ｃｍ）に設定されている。
【００２６】
具体的には、太陽電池モジュール体２は、落雪開口部３を境界として上方領域２'と下方領域２”を有するように太陽電池モジュール２ａを配設して構成され、この上方領域２'と下方領域２”との面積比は３：１に設定されている（上方領域２'は太陽電池モジュール２ａを傾斜方向に３枚配され、下方領域２”は太陽電池モジュール２ａを傾斜方向に１枚配されている。）。
【００２７】
この落雪開口部３の傾斜方向の開口巾を約３０ｃｍとすることで、太陽電池モジュール体２の上面を滑落する雪Ｓを確実に落下せることができ、太陽電池モジュール体２の表面積の減少が可及的に抑制され、良好な発電量を確保することができることを確認している。
【００２８】
また、太陽電池モジュール体２の下方領域２”の下方先端部２'''の地上高は、本実施例では８４ｃｍに設定されており、前述した落雪開口部３を備えることで、積雪量等の条件においてその地域における一般的な構造とされる高さの約１／２〜３／５に低く設定することができる。
【００２９】
また、本実施例は、太陽電池モジュール体２の裏面部位（下方部位）にして架台１で支持されて生じる空間は落雪開口部３から落下した雪Ｓを溜める雪溜め部４に設定されている。
【００３０】
本実施例は上述のように構成したから、太陽電池モジュール体２の上面に積もった雪Ｓは該太陽電池モジュール体２を滑落する。
【００３１】
具体的には、太陽電池モジュール体２上にして落雪開口部３よりも上方位置（上方領域２'）の雪Ｓは落雪開口部３から落下し、太陽電池モジュール体２上にして落雪開口部３よりも下方位置（下方領域２”）の雪Ｓは該太陽電池モジュール体２の下方領域２”の下方先端部２'''から落下する。
【００３２】
太陽電池モジュール体２の下方領域２”の下方先端部２'''から落下する雪Ｓは、落雪開口部３よりも下方位置の雪Ｓであり少量であるから、この落下して積もった雪Ｓが直ちに太陽電池モジュール体２に届くことは無く、一方、落雪開口部３から落下する雪Ｓの量は太陽電池モジュール体２の下方領域２”の下方先端部２'''から落下する雪Ｓの量に比して多いが、落雪開口部３は十分な高さを有するから、即ち、太陽電池モジュール体２の上方領域２'の下方先端部２''''は十分な高さ位置にあるから、落雪開口部３から落下して積もった雪Ｓが太陽電池モジュール体２に直ちに届くことはない。
【００３３】
また、太陽電池モジュール体２の外形寸法は用地面積やコスト等の条件から規制され且つ落雪開口部３はある程度の長さが必要となる前提において、例えばこの落雪開口部３を傾斜方向の複数箇所に設けるとそれだけ太陽電池モジュール体２の表面積が減ることになり発電量が低下してしまうことになるが、この点、本実施例は、落雪開口部３は、太陽電池モジュール体２の傾斜方向下方位置にのみ設けられ、この落雪開口部３より上方の上方領域２'の面積は、この落雪開口部３より下方の下方領域２”の面積より大きく設定されている、即ち、太陽電池モジュール体２の傾斜方向の下方位置にのみに落雪開口部３を設けるという構成とすることで、前述した太陽電池モジュール体２上に積もる雪Ｓが落下する際の問題を解決でき、しかも、発電量の低下を可及的に抑制でき、また、落雪開口部３を有することで太陽電池モジュール体２が受ける風力、揚力を軽減でき、安全性を備えたる実用的な構造となる。
【００３４】
また、本実施例は、太陽電池モジュール体２は方形板状であり、落雪開口部３を境界として上方領域２'と下方領域２”を有し、この上方領域２'と下方領域２”との面積比は３：１に設定されているから、太陽電池モジュール体２上に積もる雪Ｓを落下させる際の問題に良好に対応することができる。
【００３５】
また、本実施例は、落雪開口部３の傾斜方向の長さは約３０ｃｍ〜約４０ｃｍに設定されているから、太陽電池モジュール体２の上面を滑落する雪Ｓを確実に落下せることができ、太陽電池モジュール体２の表面積の減少が可及的に抑制され、良好な発電量を確保することができる。
【００３６】
また、本実施例は、太陽電池モジュール体２の裏面部位は落雪開口部３から落下した雪Ｓを溜める雪溜め部４に設定されているから、確実に雪Ｓを処理することができる。
【００３７】
尚、本考案は、本実施例に限られるものではなく、各構成要件の具体的構成は適宜設計し得るものである。
【符号の説明】
【００３８】
Ｓ  雪
１  架台
２  太陽電池モジュール体
２ａ  太陽電池モジュール
２’  上方領域
２”  下方領域
３  落雪開口部
４  雪溜め部
【図１】
0003195929.tif 000003
【図２】
0003195929.tif 000004
【図３】
0003195929.tif 000005